(57)【特許請求の範囲】
【請求項１】
携帯電子機器に収納される専用電池を充電するために前記携帯電子機器の本体に設けられた機器側充電用端子部に電気的に接続し得る電源側端子部と、乾電池または予備専用電池の何れかを選択して収納し得る電池収納部と、前記電池収納部に収納された電池と前記電源側端子部とを接続する接続回路とを備え、前記機器側充電用端子部と前記電源側端子部とが接続するように前記携帯電子機器に着脱可能に取り付けられ、前記電池収納部に収納された電池から前記携帯電子機器に対して電力を供給することを特徴とする携帯電子機器用予備電源装置。
【請求項２】
内部回路に電力を供給する専用電池を収納し、収納された前記専用電池を充電するための充電用端子部を有する携帯用通信端末であって、請求項１記載の携帯電子機器用予備電源装置を具備し、前記携帯電子機器用予備電源装置の電源側端子部を前記充電用端子部に電気的に接続させることで、前記携帯電子機器用予備電源装置の電池収納部に収納された電池から電力を供給されて使用可能となることを特徴とする携帯用通信端末。
【請求項３】
電源端子部を備えた電源装置に乾電池または予備専用電池の何れかを選択して収納することにより前記電源端子部と電気的に接続し、前記電源端子部を携帯用通信端末に備えた充電用端子部に接続することにより、前記乾電池または予備専用電池から前記携帯用通信端末に電力が供給され使用可能となることを特徴とする携帯用通信端末の電力供給方法。
【発明の詳細な説明】
【０００１】
【発明の属する技術分野】
本発明は、通信、通話等を行う携帯端末等の携帯電子機器に用いる予備電源装置に関する。
【０００２】
【従来の技術】
図５は従来例における携帯端末の電池ボックスの構成を示している。図５に示すように、携帯端末５１の筐体５２の底部側に背方に開放された専用電池収納部５３が形成されている。筐体５２の底面には端子部５４が設けられ、専用電池収納部５３の内部の隅部にはコネクタ接続部５５が設けられ、このコネクタ接続部５５に専用電池収納部５３に収納される専用電池５６のコネクタ５７が接続されるようになっている。専用電池収納部５３の開放部を開放可能に閉塞する電池蓋５８は、その係合爪５９が筐体５２に形成された係合穴６０に強制的に圧入されることにより、先端の係合部が係合穴６０の内縁に弾性的に係合されるようになっている。また、電池蓋５８における係合爪５９付近が押圧されてその係合部が係合穴６０の内縁から離脱されることにより、電池蓋５８が筐体５２から外されて専用電池収納部５３が開放されるようになっている。
【０００３】
以上の構成において、以下、その使用要領について説明する。
電池蓋５８を外して電池収納部５３を開放し、コネクタ接続部５５に専用電池５６のコネクタ５７を接続し、専用電池５６を電池収納部５３に収納する。その後、電池蓋５８の係合爪５９を係合穴６０に強制的に圧入し、弾性的に係合することにより、電池蓋５８により電池収納部５３を閉塞し、使用することができる。また、専用電池５６が放電すると、端子部５４を充電器の端子部（図示省略）に接続させることにより、専用電池５６に充電して使用することができる。
【０００４】
【発明が解決しようとする課題】
しかしながら、上記従来例の携帯端末では、専用電池５６を使用し、市販の乾電池を使用していないため、外出先で放電してしまうと、使用不可能となり、不便であった。また、専用電池５６と携帯端末５１とはコネクタ接続であるため、わずかな回数の抜き差しでもコネクタが壊れるおそれがあるため、予備の専用電池を持っていてもあまり付け替えることができなかった。更に、電池蓋５８が携帯端末５１の背面側に配置されているため、電池交換に際して携帯端末５１を使用時とは反対面に持ち替えなければならず、手間がかかるなどの問題があった。
【０００５】
本発明は、上記のような従来の問題を解決するものであり、携帯電子機器に収納してある専用電池が放電した際、この専用電池を取り出すことなく予備の電源を使用することができ、したがって、使用に際しての利便性を向上させることができるようにした携帯電子機器用予備電源装置を提供することを目的とするものである。
【０００６】
【課題を解決するための手段】
上記課題を解決するために本発明は、携帯電子機器に収納してある専用電池を取り出すことなく、電池を収納した電池ボックスを取り付けて予備電源として使用することができるように構成したものである。
【０００７】
これにより、使用に際しての利便性を向上させることができるようにした携帯電子機器用予備電源装置が得られる。
【０００８】
【発明の実施の形態】
本発明の請求項１に記載の発明は、携帯電子機器に収納される専用電池を充電するために携帯電子機器の本体に設けられた機器側充電用端子部に電気的に接続し得る電源側端子部と、乾電池または予備専用電池の何れかを選択して収納し得る電池収納部と、この電池収納部に収納された電池と電源側端子部とを接続する接続回路とを備え、機器側充電用端子部と電源側端子部とが接続するように携帯電子機器に着脱可能に取り付けられ、電池収納部に収納された電池から携帯電子機器に対して電力を供給する携帯電子機器用予備電源装置であり、携帯電子機器に収納してある専用電池が放電した際、この専用電池を取り出すことなく、予備電源を使用することができるという作用を有する。
【００１０】
請求項２に記載の発明は、内部回路に電力を供給する専用電池を収納し、収納された専用電池を充電するための充電用端子部を有する携帯用通信端末において、請求項１または２に記載の携帯電子機器用予備電源装置を具備し、この携帯電子機器用予備電源装置の電源側端子部を充電用端子部に電気的に接続させることで、携帯電子機器用予備電源装置の電池収納部に収納された電池から電力を供給されて使用可能となるようにしたものであり、携帯用通信端末に収納してある専用電池に充電するための充電用端子部をそのまま利用して予備電源を取り付けることができるという作用を有する。
【００１１】
請求項３に記載の発明は、電源端子部を備えた電源装置に乾電池または予備専用電池の何れかを選択して収納することにより電源端子部と電気的に接続し、この電源端子部を携帯用通信端末に備えた充電用端子部に接続することにより、乾電池または予備専用電池から携帯用通信端末に電力が供給され使用可能となるようにした電力供給方法であり、携帯用通信端末に収納してある専用電池が放電した際、この専用電池を取り出すことなく、予備電源を使用することができるという作用を有する。
【００１３】
以下、本発明の実施の形態について図面を参照しながら説明する。
図１ないし図４は本発明の一実施の形態による携帯電子機器用予備電源装置を示し、図１は分解斜視図、図２は電池ボックスの斜視図、図３は電池ボックスのカバーの一部切欠き斜視図、図４は電池ボックスを携帯電子機器である携帯端末に取り付けた状態の説明用斜視図である。
【００１４】
図１ないし図４において、１は携帯端末、２は電池ボックスである。携帯端末１について説明すると、上記従来例と同様、筐体３の底部の背面側に専用電池を収納した電池ボックス４が取り外し可能に取り付けられ、底面に端子部５が設けられている。筐体２の底面には端子部５を狭んで表面側と背面側とに細長の案内穴６と係合穴７とが形成されている。
【００１５】
電池ボックス２について説明すると、電池収納ケース８は電池収納ケース本体９と底蓋１０とから構成されている。電池収納ケース本体９は底板１１の両側長辺縁に側板１２、１３が連設され、底板１１の両側短辺縁に側板１４、１５が連設されている。電池収納ケース本体９には市販の円柱状の乾電池１６を複数本（図示例では３本）収納し、若しくは乾電池１６に替えて予備の専用電池１７を収納し得るスペースを有する電池収納部１８が形成されている。電池収納ケース本体９における短辺側の各側板１４、１５の内方に位置してこれに沿うように乾電池１６の端部を係合し得る円弧状の係合部１９ａを有する係合部材１９が一体的に設けられ、一方の長辺側の側板１３の内方に位置してこれに沿うように区画壁２０が一体的に設けられ、電池収納ケース本体９内に側板１２と両側の係合部材１４と区画壁２０とで囲まれた部分に予備の専用電池１７が収納されるようになっている。
【００１６】
区画壁２０と電池収納ケース本体９における短辺側の一方の側板１５との間において底板１１に貫通穴２１が形成されている。電池収納ケース本体９における両側の短辺側の側板１４、１５の内側に支持枠２２、２３、２４が一体的に設けられ、支持枠２２、２３の間隔が長く、支持枠２３、２４の間隔が短くなるように設定されている。こられ支持枠２２、２３、２４は両側で逆向きとなる点対称的に配置されている。両側の支持枠２３、２４間において底板１１に貫通穴２５が形成されている。
【００１７】
底蓋１０はプリント基板２６を収納し得る浅い凹所２７が形成され、凹所２７にプリント基板２６を収納した状態で電池収納ケース本体９の底部に取り付けられるようになっている。プリント基板２６に点対称的に取り付けられた板状接触片２８と湾曲部により折り返されてばね性を付与された接触片２９が電池収納ケース本体９の貫通穴２５に挿通されて板状接触片２８とばね性接触片２９の基部側とが支持枠２３、２４間に支持されている。プリント基板２６に搭載されたコネクタ接続部３０が電池収納ケース本体９の貫通穴２１に挿通され、プリント基板２６に接続されたコネクタ３１が電池収納ケース本体９の側板１３に形成された切欠３２に挿入されている。コネクタ３１は携帯端末１の端子部５に電気的に接続される端子部３３を有している。
【００１８】
板状の接触片３４はその一側に湾曲部により折り返されてばね性を付与された接触片３５が連設され、板状接触片２８に隣接して支持枠２２、２３間に支持されている。そして、板状接触片２８と板状接触片３４の端部が両側の係合部１９ａに対応し、ばね性接触片３５が中央の係合部１９ａに対応し得るように設定されている。板状の接触片３６はその一側に湾曲部により折り返されてばね性を付与された接触片３７が連設され、ばね性接触片２９に隣接して支持枠２２、２３間に支持されている。そして、ばね性接触片２９、３７が両側の係合部１９ａに対応し、板状接触片３６の端部が中央の係合部１９ａに対応し得るように設定されている。
【００１９】
３本の乾電池１６は、陽極と陰極が交互に逆向きとなるように配置されてその両側部が係合部１９ａに係合された状態で電池収納部１８に収納されることにより、陽極が板状接触片２８、３６、３４に接触されるとともに、陽極がばね性接触片３７、３５、２９にそのばね性を利用して接触され、直列に接続されるようになっている。そして、接触片２８、３７、３６、３５、３４、２９、プリント基板２６等から成る回路により乾電池１６が端子部３３に電気的に接続されるようになっている。一方、予備の専用電池１７はそのコネクタ３８がコネクタ接続部３０に接続されるとともに、電池収納部１８に収納される。そして、コネクタ３８、コネクタ接続部３０、プリント基板２６等から成る回路により専用電池１７が端子部３３に電気的に接続されるようになっている。
【００２０】
電池収納部１８を閉塞するためのカバー３９は頂板４０の一方の短辺縁と一方の長辺縁に側板４１と側板４２が連設されている。電池収納ケース本体９の側板１３における電池収納部１８の開放側には案内溝４３が形成され、底蓋１０における案内溝４３とは離隔側に案内溝４３と同方向に延長され、かつ奥行き方向において直交方向となる案内溝４４が形成されている。一方、カバー３９の頂板４０における側板４１、４２が連設されていない隅部内面には案内突部４５が一体的に設けられ、側板４２における側板４１、頂板４０とは離隔側の端部内面には案内突部４６が一体的に設けられている。そして、案内突部４５と４６が案内溝４３、４４に移動可能に係合されることにより、これら案内溝４３、４４と案内突部４５、４６の案内によりカバー３９が移動され、電池収納部１８が閉塞され、若しくは開放されるようになっている。
【００２１】
電池ボックス２における端子部３３側、すなわち、電池収納ケース本体９の側板１３と底蓋１０における側板１３側の面には案内突部４７と係合爪４８が一体的に設けられている。底蓋１０は係合爪４８の両側で内方へ向かって切溝４９が形成されてばね性が付与されている。そして、案内突部４７が携帯端末１の案内穴６に挿入されるとともに、係合爪４８が携帯端末１の係合穴７に強制的に圧入され、先端の係合部４８ａが係合穴７の内縁に弾性的に係合されることにより、電池ボックス２が携帯端末１の底面側に取り付けられ、この状態で電池ボックス２の端子部３３が携帯端末１の底面の端子部５に電気的に接続されるようになっている。また、係合爪４８を切溝４９の利用により弾性変形させ、その係合部４８ａを係合穴７の内縁から離脱させた状態で、電池ボックス２を携帯端末１から離隔する方向へ加圧することにより、案内突部４７と係合爪４８を案内穴６と係合穴７から離脱させ、電池ボックス２を携帯端末１から取り外すことができる。
【００２２】
以上の構成において、以下、その使用要領について説明する。
カバー３９を案内溝４３、４４、案内突部４５、４６の案内により移動させ、電池収納部１８を開放し、上記のように乾電池１６、若しくは予備の専用電池１７を選択的に電池収納部１８に収納し、その後、カバー３９を案内溝４３、４４、案内突部４５、４６の案内により移動させ、電池収納部１８を閉塞する。この電池ボックス２を外出等に際して携帯する。そして、外出先等において、携帯端末１の使用に際し、電池ボックス４に収納してある専用電池の放電により使用することが不可能になると、上記のように携帯している電池ボックス２の案内突部４７を携帯端末１の案内穴６に挿入するとともに、電池ボックスの係合爪４８を携帯端末１の係合穴７に強制的に圧入することにより、弾性的に係合する。これにより、電池ボックス２を携帯端末１の底面に取り外し可能に取り付け、電池ボックス２の端子部３３を携帯端末１の端子部５に電気的に接続することができ、したがって、携帯端末１を使用することができる。
【００２３】
また、電池ボックス２を上記のように携帯端末１の底部に取り付けた状態でそのカバー３９を案内溝４３、４４と案内突部４５、４６の案内により移動させ、電池収納部１８を開放し、乾電池１６、若しくは予備の専用電池１７を交換し、交換後、カバー３９を案内溝４３、４４と案内突部４５、４６の案内により移動させ、電池収納部１８を閉塞し、使用することができる。
【００２４】
このように、本実施の形態によれば、携帯端末１に収納してある専用電池が放電した際、この専用電池を取り出すことなく、電池ボックス２を取り付けて予備電源として使用することができるので、利便性を向上させることができる。また、電池ボックス２は乾電池１６と予備の専用電池１７とを選択的に使用することができるので、電池の種類の制約を受けず、更に利便性を向上させることができる。また、携帯端末１に収納してある専用電池に充電するための端子部５をそのまま利用して電池ボックス２を取り付けて予備電源として使用することができるので、従来の携帯端末１に案内穴６と係合穴７を形成することにより、安価に対応することができる。また、電池ボックス２を携帯端末１にワンタッチで取り付けることができるので、簡単に、かつ迅速に取り付けることができる。更に、カバー３９を案内溝４３、４４と案内突部４５、４６の案内により移動させることにより、電池収納部１８を開閉し得るので、携帯端末１をキー操作等の使用時と同じ姿勢で持った状態でもカバー３９を開閉して電池交換を容易に行うことができ、更に一層、利便性を向上させることができる。
【００２５】
【発明の効果】
以上説明したように本発明によれば、携帯電子機器に収納してある専用電池が放電した際、この専用電池を取り出すことなく予備の電源を使用することができるので、使用に際しての利便性を向上させることができる。
【図面の簡単な説明】
【図１】本発明の一実施の形態による携帯電子機器用予備電源装置を示す分解斜視図
【図２】同携帯電子機器用予備電源装置に用いる電池ボックスを示す斜視図
【図３】同携帯電子機器用予備電源装置に用いる電池ボックスのカバーを示す一部切欠き斜視図
【図４】同携帯電子機器用予備電源装置を示し、電池ボックスを携帯電子機器である携帯端末に取り付けた状態の説明用斜視図
【図５】従来例における携帯端末の電池ボックスを示す一部分解斜視図
【符号の説明】
１  携帯端末
２  電池ボックス
４  電池ボックス
５  端子部
６  案内穴
７  係合穴
８  電池収納ケース
９  電池収納ケース本体
１６  乾電池
１７  予備の専用電池
１８  電池収納部
３９  カバー
４３  案内溝
４４  案内溝
４５  案内突部
４６  案内突部
４７  案内突部
４８  係合爪
【図１】
0003643944.tif 000002
【図２】
0003643944.tif 000003
【図３】
0003643944.tif 000004
【図４】
0003643944.tif 000005
【図５】
0003643944.tif 000006